(57)【要約】 【課題】本発明は、規格の異なる複数種類のガイドレールに一種類のガイドローラで対応できるため、低コストで、製品管理も容易なガイドローラを提供出来ると共に、ガイドレールに対しガイドローラの軸中心Ｘが傾斜したとしても、ガイドローラのガイドする精度（グリップ力）が低下することがないことを目的とする。【解決手段】ガイドレールに沿ってガイドするガイドローラであって、前記ガイドレールに沿って前記ガイドローラを軸支しているレバーに回転自在に保持されている軸受と、前記軸受の外周に保持されたハブ部材と、前記ハブ部材の外周側に配置された表面弾性層とよりなるガイドローラにおいて、前記表面弾性層の外周面に軸方向に間隔を置いて設けられた少なくとも２本の環状溝を設け、軸方向両側に位置する側面を、中心面に対して傾斜させたことを特徴とする。【選択図】  図１
2011162284.tif 000002
【特許請求の範囲】
【請求項１】
ガイドレール（１）に沿ってガイドするガイドローラ（１０）であって、前記ガイドレール（１）に沿って前記ガイドローラ（１０）を軸支しているレバー（２）に回転自在に保持されている軸受（３）と、前記軸受（３）の外周に保持されたハブ部材（４）と、前記ハブ部材（４）の外周側に配置された表面弾性層（５）とよりなるガイドローラにおいて、前記表面弾性層（５）の外周面に軸方向に間隔を置いて設けられた少なくとも２本の環状溝（６）、（６）を設けたことを特徴とするガイドローラ。
【請求項２】
前記２本の環状溝（６）、（６）の間隙は、前記ガイドローラ（１０）と接触する前記ガイドレール（１）の３面のうち、幅の狭いガイドレール（１）面幅に合わせてあることを特徴とする請求項１記載のガイドローラ。
【請求項３】
前記２本の環状溝（６）、（６）により区分された前記表面弾性層（５）の３面のうち、前記２本の環状溝（６）、（６）により挟まれた中心面（５１）は、前記ガイドローラ（１０）の軸中心（Ｘ）と略平行な面を呈しているのに対し、前記中心面（５１）の軸方向両側に位置する側面（５２）、（５２）は、前記中心面（５１）に対して傾斜していることを特徴とする請求項１または２記載のガイドローラ。
【請求項４】
前記側面（５２）、（５２）の、前記中心面（５１）に対する傾斜角（α）は、前記ガイドレール（１）に対し、前記ガイドローラ（１０）が傾く最大角度に略等しく設定されていることを特徴とする請求項３記載のガイドローラ。
【請求項５】
前記環状溝（６）が前記表面弾性層（５）の軸方向中心から等間隔に設けられていることを特徴とする請求項１〜４いずれか一項記載のガイドローラ。
【請求項６】
前記環状溝（６）の深さが０．２ｍｍ〜０．８ｍｍの範囲であることを特徴とする請求項１〜５いずれか一項記載のガイドローラ。
【請求項７】
前記環状溝（６）が断面円弧状の溝であることを特徴とする請求項１〜６いずれか一項記載のガイドローラ。
【請求項８】
前記ガイドローラ（１０）がエレベータ用ガイドローラとして用いられる請求項１〜７いずれか一項記載のガイドローラ。
【請求項９】
前記表面弾性層（５）がウレタンゴム材製であることを特徴とする請求項１〜８いずれか一項記載のガイドローラ。
【請求項１０】
前記ガイドローラ（１０）が前記ガイドレール（１）の面を接触転動することを特徴とする請求項１〜９いずれか一項記載のガイドローラ。
【発明の詳細な説明】
【技術分野】
【０００１】
本発明は、例えばエレベータのドア等を吊り下げてレール上を転動するガイドローラや、鉄道車輌、一般産業機械等の動力伝達、走行等に使用されるガイドローラに関するものである。
【背景技術】
【０００２】
従来のエレベータのガイドローラは、エレベータのかご枠の上端及び下端のそれぞれの端部に配置され、ガイドレールに沿って乗りかごを案内する。
これらのガイドローラは同一構成であるため、その一例について図４に基づき説明する。
かご枠１１に取り付けられるガイドローラ１０は、ベース１２に一端をピン支持された３個のレバー２、２、２のそれぞれにガイドローラ１０が設けられ、このガイドローラ１０は、ガイドレール１の正面及び側面にそれぞれ接触転動するようになっている。
【０００３】
そして、このガイドローラとしては、図５に示す態様のものが使用されていた。
すなわち、ガイドレール１に沿ってガイドローラ１０を軸支しているレバー２に回転自在に保持されている軸受３０と、軸受３０の外周に保持されたハブ部材４０と、ハブ部材４０の外周側に配置された表面弾性層５０とより構成されている。
【０００４】
しかし、かごの大きさ、エレベータの性能、用途等によりガイドレール１の幅が異なるため、ガイドレール１の幅に合わせた複数種類のガイドローラ１０を準備する必要があった。
そこで、ガイドレール１の最大幅に合わせたガイドローラ１０を、幅の小さなガイドレール１に使用すると、接触転動の両サイドで異常摩耗が進行し、滑らかなガイドが困難であった。
このため、どうしてもガイドレール１の幅に合わせた複数種類のガイドローラ１０を準備する必要があり、生産コストが嵩むとともに、製品管理も大変であった。
【０００５】
また、汎用タイプのエレベータでは、オーダーメイドのエレベータと違い、様々な建物に設置するため、建物に固定したガイドレール１と、エレベータ籠に固定したガイドローラ１０との間に、不可避的に傾きが発生する。
【０００６】
この結果、図６に示す様に、ガイドレール１に対しガイドローラ１０の軸中心Ｘが傾斜するため、表面弾性層５０はガイドレール１に対し片当たりとなり、表面弾性層５０が偏摩耗する問題を生起した。
このため、ガイドレール１と表面弾性層５０との接触領域が極端に少なくなり、ガイドローラ１０のガイドする精度（グリップ力）が低下する問題を惹起した。
【先行技術文献】
【特許文献】
【０００７】
【特許文献１】特開平７−１０４１９号公報
【特許文献２】特開平１０−１９４６２７号公報
【特許文献３】特開平２０００−２９１６３３号公報
【発明の開示】
【発明が解決しようとする課題】
【０００８】
本発明は上記したような事情に鑑みてなされたものであり、規格の異なる複数種類のガイドレールに一種類のガイドローラで対応できるため、低コストで、製品管理も容易なガイドローラを提供出来ると共に、ガイドレールに対しガイドローラの軸中心Ｘが傾斜したとしても、ガイドローラのガイドする精度（グリップ力）が低下することがないことを目的とする。
【課題を解決するための手段】
【０００９】
上記目的を達成するために本発明に係るガイドローラにあっては、ガイドレールに沿ってガイドするガイドローラであって、前記ガイドレールに沿って前記ガイドローラを軸支しているレバーに回転自在に保持されている軸受と、前記軸受の外周に保持されたハブ部材と、前記ハブ部材の外周側に配置された表面弾性層とよりなるガイドローラにおいて、前記表面弾性層の外周面に軸方向に間隔を置いて設けられた少なくとも２本の環状溝を設けたことを特徴とする。
【００１０】
また、本発明に係るガイドローラにあっては、前記２本の環状溝により区分された前記表面弾性層の３面のうち、前記２本の環状溝により挟まれた中心面は、前記ガイドローラの軸中心と略平行な面を呈しているのに対し、前記中心面の軸方向両側に位置する側面は、前記中心面に対して傾斜していることを特徴とする
【発明の効果】
【００１１】
本発明は、以下に記載される効果を奏する。
請求項１記載の発明のガイドローラによれば、規格の異なる複数種類のガイドレールに一種類のガイドローラで対応できるため、低コストで生産することが出来る。
請求項２記載の発明のガイドローラによれば、狭い幅のガイドレールであっても、滑らかなガイドが出来る。
【００１２】
請求項３記載の発明のガイドローラによれば、ガイドレールに対しガイドローラの軸中心Ｘが傾斜したとしても、ガイドローラのガイドする精度（グリップ力）が低下することがない。
請求項４記載の発明のガイドローラによれば、汎用タイプのエレベータ用ガイドローラとして、幅広く使用することが出来る。
【００１３】
請求項５記載の発明のガイドローラによれば、規格の異なる複数種類のガイドレールを精度よくガイド出来る。
請求項６記載の発明のガイドローラによれば、表面弾性層の寿命を低下させることがない。
【００１４】
請求項７記載の発明のガイドローラによれば、環状溝から亀裂等が発生することが無い。
請求項８記載の発明のガイドローラによれば、エレベータ用のガイドローラとして最適であり、エレベータのかごを精度よく案内できる。
【００１５】
請求項９記載の発明のガイドローラによれば、表面弾性層の靭性が強く、耐久性が良好である。
請求項１０記載の発明のガイドローラによれば、幅の異なるガイドレールに対応出来る。
【図面の簡単な説明】
【００１６】
【図１】本発明に係るガイドローラを示す断面図。
【図２】図１の部分拡大図。
【図３】本発明に係るガイドローラが、ガイドレールに対しガイドローラの軸中心Ｘが傾斜する形で使用された状態を示した図。
【図４】エレベータ用に使用されたガイドローラの構成を示す図。
【図５】従来技術に係るガイドローラを示す断面図。
【図６】従来技術に係るガイドローラを、図３と同様に示した図。
【発明を実施するための形態】
【００１７】
以下、本発明を実施するための形態について説明する。
図１乃至図４を参照しながら、本発明を実施するための最良の形態について説明する。
尚、図２は、図１の部分拡大図である。
【００１８】
本発明に係るガイドローラ１０は、ガイドレール１に沿ってガイドするガイドローラ１０であって、ガイドレール１に沿ってガイドローラ１０を軸支しているレバー２に回転自在に保持されている軸受３と、この軸受３の外周に保持されたハブ部材４と、このハブ部材４の外周側に配置された表面弾性層５とより構成されている．
【００１９】
そして、この表面弾性層５の外周面には、表面弾性層５の軸方向中心から等間隔に軸方向に間隔を置いて２本の環状溝６、６が設けられている。
また、この２本の環状溝６、６により区分された表面弾性層５の３面のうち、２本の環状溝６、６により挟まれた中心面５１は、ガイドローラ１０の軸中心Ｘと略平行な面を呈しているのに対し、図２に示す様に、中心面５１の軸方向両側に位置する側面５２、５２は、中心面５１に対して傾斜した構成としている。
【００２０】
そして、側面５２、５２の、中心面５１に対する傾斜角αは、ガイドレール１に対し、ガイドローラ１０が傾く最大角度に略等しく設定されている。
このため、図３に示す様に、ガイドレール１に対しガイドローラ１０の軸中心Ｘが傾斜したとしても、一方の側面５２の全面が、ガイドローラ１に接してガイドするため、ガイドする精度（グリップ力）が低下することがない。
また、汎用タイプのエレベータ用ガイドローラとして、幅広く使用することが出来る。
【００２１】
更に、この環状溝６の深さは、０．２ｍｍ〜０．８ｍｍ、好ましくは０．４ｍｍ〜０．６ｍｍの範囲である。
また、この環状溝６は、断面円弧状の溝となっている。
このことにより、過大な応力が表面弾性層５に作用しても、亀裂・割れが発生することが無い。
【００２２】
更に、２本の環状溝６、６の間隙は、ガイドローラ１０と接触するガイドレール１の3面のうち、幅の狭いガイドレール１面幅に合わせてある。
このため、ガイドローラ１に、ガイドローラ１の表面弾性層５の幅に比べ、幅の小さいガイドレール１を使用したとしても、ガイドローラ１が接触する両サイドに環状溝６，６が設けてある為、接触転動の両サイドで異常摩耗が進行することは無く、滑らかなガイドが可能である。
この種ガイドローラ１０は、通常、図４に示すエレベータ用ガイドローラとして用いられる。
【００２３】
また、表面弾性層５の材質としては、ウレタンゴムを使用したが、シリコーンゴム等のゴム状弾性材や、熱可塑性樹脂が適宜選択して用いられる。
【００２４】
また、通常ガイドレール１の幅を変更する場合が多いいため、本発明のガイドローラ１０は、ガイドレール１の正面を接触転動するものに有効である。
尚、実施例では、二種類の幅のガイドレール１に対応すべく、２本の環状溝６，６を設ける態様としたが、二種類以上の幅のガイドレール１に対応させるためには、ガイドレール１の幅に合わせて、４本、６本と増加させれば、一種類のガイドローラ１０で複数種類の幅のガイドレール１に対応が可能である。
【符号の説明】
【００２５】
１    ガイドレール
２    レバー
３    軸受
４    ハブ部材
５    表面弾性層
１０  ガイドローラ
５１  中心面
５２  側面
【図１】
2011162284.tif 000003
【図２】
2011162284.tif 000004
【図３】
2011162284.tif 000005
【図４】
2011162284.tif 000006
【図５】
2011162284.tif 000007
【図６】
2011162284.tif 000008